(57)【特許請求の範囲】
【請求項１】
電話局またはＰＢＸに接続された電話機と、前記電話機およびネットワークに接続されたパソコンとから成る電話機・コンピュータ連動装置であって、
前記電話機は、電話局またはＰＢＸと音声をやり取りする回線インタフェース部と、音声入出力部と、前記パソコンと接続するためのＰＣインタフェース部と、前記パソコンとの間で音声をやり取りするための音声／データ変換部と、ＬＡＮ通話を行うか又は通常通話を行うかを指定するＬＡＮ／通常通話指定部と、通話相手を指定するための通話相手指定部と、定期的にパケットを前記パソコンに対して出力し、前記パケットに対する応答が返ればＬＡＮ通話が可能だと判定し、前記パケットに対する応答が返らない場合にはＬＡＮ通話が不可能であると判定するＬＡＮ通話可能／不可能判定部と、全体を制御する制御部とを有し、
前記制御部は、前記ＬＡＮ／通常通話指定部がＬＡＮ通話を指定したと判定した場合には前記ＬＡＮ通話可能／不可能判定部の判定に基づいてＬＡＮ通話可能またはＬＡＮ通話不可能であることを示す音を前記音声入出力部に出力し、ＬＡＮ通話可能な場合には相手先を指定し、前記指定された相手先を前記ＰＣインタフェース部を介して前記パソコンに通知し、相手先と通話が確立したら、前記音声入出力部により入出力される音声を前記音声／データ変換部でデータ変換するように指示し、ＬＡＮ通話不可能な場合には前記通話相手指定部に通常通話の相手先を指定させ、前記回線インタフェース部に前記通常通話の相手先の電話番号を出力することを特徴とする電話機・コンピュータ連動装置。
【発明の詳細な説明】
【０００１】
【発明の属する技術分野】
本発明は、パソコン（ＰＣ）とこのパソコンに接続された電話機とから成る電話機・コンピュータ連動装置に関するものである。
【０００２】
【従来の技術】
電話機・コンピュータ連動装置はパソコン（ＰＣ）とこのパソコンに接続された電話機とから成り、上記パソコンをＬＡＮに接続することによりＬＡＮ電話システムが構成される。このＬＡＮ電話システムにおいては、同じＬＡＮに接続された電話機（ＬＡＮ電話機）相互の間で通話を行うものである。また、最近では、ＷＡＮ（Ｗｉｄｅ  Ａｒｅａ  Ｎｅｔｗｏｒｋ、広域網）に接続され、遠距離の通話を安いコストで行うインターネット電話システムも普及している。また、ＬＡＮ上にゲートウェイを設けて従来の電話網との接続を行い、ＬＡＮ電話機から通常の電話機への通話も可能になっている。
【０００３】
【発明が解決しようとする課題】
しかしながら、従来の電話機・コンピュータ連動装置では、ＰＣが起動していないと通話を行うことができず、ユーザは通話の前にＰＣの起動をあらかじめ行わなければならないという問題点を有していた。
【０００４】
この電話機・コンピュータ連動装置では、パソコンが起動されている場合にはＬＡＮ電話機として機能すると共に、パソコンが起動されていない場合には通常の電話機として機能することが可能なことが要求されている。
【０００５】
本発明は、この要求を満たすため、パソコンが起動されている場合にはＬＡＮ電話機として機能すると共に、パソコンが起動されていない場合には通常の電話機として機能することが可能な電話機・コンピュータ連動装置を提供することを目的とする。
【０００６】
【課題を解決するための手段】
この課題を解決するために本発明の電話機・コンピュータ連動装置は、電話局またはＰＢＸに接続された電話機と、電話機およびネットワークに接続されたパソコンとから成る電話機・コンピュータ連動装置であって、電話機は、電話局またはＰＢＸと音声をやり取りする回線インタフェース部と、音声入出力部と、パソコンと接続するためのＰＣインタフェース部と、パソコンとの間で音声をやり取りするための音声／データ変換部と、ＬＡＮ通話を行うか又は通常通話を行うかを指定するＬＡＮ／通常通話指定部と、通話相手を指定するための通話相手指定部と、定期的にパケットをパソコンに対して出力し、パケットに対する応答が返ればＬＡＮ通話が可能だと判定し、パケットに対する応答が返らない場合にはＬＡＮ通話が不可能であると判定するＬＡＮ通話可能／不可能判定部と、全体を制御する制御部とを有し、制御部は、ＬＡＮ／通常通話指定部がＬＡＮ通話を指定したと判定した場合にはＬＡＮ通話可能／不可能判定部の判定に基づいてＬＡＮ通話可能またはＬＡＮ通話不可能であることを示す音を音声入出力部に出力し、ＬＡＮ通話可能な場合には相手先を指定し、指定された相手先をＰＣインタフェース部を介してパソコンに通知し、相手先と通話が確立したら、音声入出力部により入出力される音声を音声／データ変換部でデータ変換するように指示し、ＬＡＮ通話不可能な場合には通話相手指定部に通常通話の相手先を指定させ、回線インタフェース部に通常通話の相手先の電話番号を出力する構成を備えている。
【０００７】
これにより、パソコンが起動されている場合にはＬＡＮ電話機として機能すると共に、パソコンが起動されていない場合には通常の電話機として機能することが可能な電話機・コンピュータ連動装置が得られる。
【０００８】
【発明の実施の形態】
本発明の請求項１に記載の電話機・コンピュータ連動装置は、電話局またはＰＢＸに接続された電話機と、電話機およびネットワークに接続されたパソコンとから成る電話機・コンピュータ連動装置であって、電話機は、電話局またはＰＢＸと音声をやり取りする回線インタフェース部と、音声入出力部と、パソコンと接続するためのＰＣインタフェース部と、パソコンとの間で音声をやり取りするための音声／データ変換部と、ＬＡＮ通話を行うか又は通常通話を行うかを指定するＬＡＮ／通常通話指定部と、通話相手を指定するための通話相手指定部と、定期的にパケットをパソコンに対して出力し、パケットに対する応答が返ればＬＡＮ通話が可能だと判定し、パケットに対する応答が返らない場合にはＬＡＮ通話が不可能であると判定するＬＡＮ通話可能／不可能判定部と、全体を制御する制御部とを有し、制御部は、ＬＡＮ／通常通話指定部がＬＡＮ通話を指定したと判定した場合にはＬＡＮ通話可能／不可能判定部の判定に基づいてＬＡＮ通話可能またはＬＡＮ通話不可能であることを示す音を音声入出力部に出力し、ＬＡＮ通話可能な場合には相手先を指定し、指定された相手先をＰＣインタフェース部を介してパソコンに通知し、相手先と通話が確立したら、音声入出力部により入出力される音声を音声／データ変換部でデータ変換するように指示し、ＬＡＮ通話不可能な場合には通話相手指定部に通常通話の相手先を指定させ、回線インタフェース部に通常通話の相手先の電話番号を出力することとしたものである。
【０００９】
この構成により、パソコンが起動されていることによりＬＡＮ通話が可能な場合にはパソコンを通してのＬＡＮ通話が行われ、パソコンが起動されていないことによりＬＡＮ通話が不可能な場合にはＬＡＮ通話を断念するか又は通常通話に移行するという作用を有する。
【００１０】
以下、本発明の実施の形態について、図１〜図３を用いて説明する。
【００１１】
（実施の形態１）
図１は本発明の実施の形態１による電話機・コンピュータ連動装置を示すブロック図である。
【００１２】
図１において、１は電話機、２はパソコン（ＰＣ）、３はネットワーク、１１は電話局またはＰＢＸと音声をやり取りする回線インタフェース部、１２は音声入出力部、１３はパソコンと接続するためのＰＣインタフェース部、１４はパソコンとの間で音声をやり取りするための音声／データ変換部、１５はＬＡＮ通話を行うか又は通常通話を行うかを指定するＬＡＮ／通常通話指定部、１６は通話相手を指定するための通話相手指定部、１７は定期的にパケットをパソコン２に対して出力し、パケットに対する応答が返ればＬＡＮ通話が可能だと判定し、パケットに対する応答が返らない場合にはＬＡＮ通話が不可能であると判定するＬＡＮ通話可能／不可能判定部、１８は全体を制御する制御部である。
【００１３】
このように構成された電話機・コンピュータ連動装置について、その動作を図２を用いて説明する。図２は図１の電話機・コンピュータ連動装置の動作を示すフローチャートである。
【００１４】
まず、ＬＡＮ通話可能／不可能判定部１７は、定期的にパケットをＰＣインタフェース部１３に出力し、ＰＣ２からの応答があれば「ＬＡＮ通話が可能である」と判定し、ＰＣ２からの応答が無ければ「ＬＡＮ通話が不可能である」と判定する（Ｓ１）。ここでは「ＬＡＮ通話が可能である」として説明を続ける。またＬＡＮ通話が可能か否かは制御部１８へ通知される。次に、ユーザがＬＡＮ／通常通話指定部１５によりＬＡＮ通話を行うか通常の通話を行うかを指定する。本実施の形態では、電話機１にボタンとして０から９までの数字と＊と＃とがあるものとして説明する。ユーザがＬＡＮ通話を行いたい場合には＃を入力し、通常の通話の場合はそのまま相手先の電話番号を入力する。つまり、ＬＡＮ／通常通話指定部１５と通話相手指定部１６は上記音声入力部１２のボタンから構成されている。制御部１８は、＃が入力されたと判定、すなわちＬＡＮ通話指定であると判定した場合はステップＳ３へ、そのまま相手先の電話番号が入力されたと判定、すなわちＬＡＮ通話指定無しと判定した場合はステップＳ９へ進む。ここでは、＃が入力されたものとして説明を続ける。
【００１５】
次に、制御部１８は、上述したようにＬＡＮ／通常通話指定部１５より「ＬＡＮ通話要求」の通知を受けてＬＡＮ通話指定であると判定した場合、ＬＡＮ通話可能／不可能判定部１７にＬＡＮ通話が可能かどうかの確認をとる（Ｓ３）。ＬＡＮ通話が可能である場合はステップＳ４へ、不可能である場合はステップＳ８へ進む。ここでは「通話可能」であるとして説明を続ける。この場合、通話相手指定部１６にてＬＡＮ通話の相手先を受け付ける状態になる。ここで、ユーザが通話相手を指定する。ここでは、ＰＣ２上にＬＡＮ電話アプリケーションが起動されていて、画面上に表示されている相手の中から相手を指定する。図３は、ＰＣ２上にＬＡＮ電話アプリケーションが起動されているときの画面の表示内容を示す画面表示図である。ここでは、画面上の５番目のユーザ（立花隆三）を相手先として選択するものとし、ユーザがボタンにて“５”を入力する。これにより制御部１８は、５番目のユーザが相手先として指定されたと判定する（Ｓ４）。
【００１６】
次に、制御部１８は、通話相手指定部１６から“５”が入力されたという通知を受け、その旨をＰＣインタフェース部１３に出力する。ＰＣ２はＰＣ２内のデータベースを参照し、“５”に対応する相手先を呼び出す（Ｓ５）。次に、通話相手はこの呼び出しに応答し、通話が確立する（Ｓ６）。ＰＣ２はその旨をＰＣインタフェース部１３を介して制御部１８へ通知する。次に、ＰＣインタフェース部１３より「通話確立」の通知を受けた制御部１８は以降、音声入出力部１２における音声入出力に応じて音声／データ変換部１４で受信あるいは送出するように指示する。すなわち、音声入出力部１２からの出力音声信号は音声／データ変換部１４で音声データに変換され、音声／データ変換部１４から出力されるアナログ音声信号は音声入出力部１２に入力される。すると、ユーザの音声はデータに変換され、ネットワーク３を通って相手先のＬＡＮ電話機に届き、また相手先の音声は同様にデータに変換され、ネットワーク３を通って電話機１に到着し、音声に変換される。
【００１７】
以上のようにＰＣ２が起動している場合はＬＡＮ電話機として機能することがわかる。
【００１８】
次に、ステップＳ３でＰＣ２が起動していない場合について説明する。
【００１９】
ステップＳ３において、制御部１８は、ＬＡＮ／通常通話指定部１５より「ＬＡＮ通話要求」の通知を受けるが、ＬＡＮ通話可能／不可能判定部１７にて「ＬＡＮ通話不可能」であることがわかるので、「ＬＡＮ通話不可能」の旨を表す音を音声入出力部１２に出力する。これによってユーザは「通話不能」であることがわかり、通話をあきらめるか又は通常の電話機で相手先を呼び出すことになる。なお、ステップＳ３で「ＬＡＮ通話可能」な場合にも、「ＬＡＮ通話可能」の旨を表す音を音声入出力部１２に出力する。
【００２０】
以上のように、ＰＣ２が起動していない場合にユーザがＬＡＮ電話を利用しようとしても、音声入出力部１２から「通話不能」の音声が送出され、通話が不可能であることを知ることができる。
【００２１】
次に、ユーザが通常の電話機として電話機１を利用する場合について説明する。
【００２２】
ステップＳ９において、ユーザが通話相手指定部１６より相手先の電話番号を入力すると、制御部１８は、その電話番号をパルスもしくはトーンにて回線インタフェース部１１に出力する。このようにＰＣ２が起動していなくても、通常の電話として利用可能であることがわかる。
【００２３】
以上のように本実施の形態では、制御部１８は、ＬＡＮ／通常通話指定部１５がＬＡＮ通話を指定したと判定した場合にはＬＡＮ通話可能／不可能判定部１７の判定に基づいてＬＡＮ通話可能またはＬＡＮ通話不可能であることを示す音を音声入出力部１２に出力し、ＬＡＮ通話可能な場合には相手先を指定し、指定された相手先をＰＣインタフェース部１３を介してパソコン２に通知し、相手先と通話が確立したら、音声入出力部１２により入出力される音声を音声／データ変換部１４でデータ変換するように指示し、ＬＡＮ通話不可能な場合には通話相手指定部１６に通常通話の相手先を指定させ、回線インタフェース部１１に通常通話の相手先の電話番号を出力するようにしたことにより、パソコンが起動されていることによりＬＡＮ通話が可能な場合にはパソコン２を通してのＬＡＮ通話を行い、パソコン２が起動されていないことによりＬＡＮ通話が不可能な場合にはＬＡＮ通話を断念するか又は通常通話に移行することができるので、パソコン２が起動されている場合には電話機１はＬＡＮ電話機として機能することが可能であり、またパソコン２が起動されていない場合には通常の電話機として機能することが可能である。
【００２４】
なお、本実施の形態では、ＬＡＮ電話機からパソコン２に向かってパケットを出力し、その応答の有無でパソコン２が起動しているか否かを判定することとしたが、本発明はこれに限らず、パソコン２側から定期的にパケットを出力し、ＬＡＮ電話機側でそのパケットの到着の有無によってパソコン２が起動しているか否かを判定してもよく、同様の効果を奏する。
【００２５】
【発明の効果】
以上説明したように本発明の請求項１に記載の電話機・コンピュータ連動装置によれば、電話局またはＰＢＸに接続された電話機と、電話機およびネットワークに接続されたパソコンとから成る電話機・コンピュータ連動装置であって、電話機は、電話局またはＰＢＸと音声をやり取りする回線インタフェース部と、音声入出力部と、パソコンと接続するためのＰＣインタフェース部と、パソコンとの間で音声をやり取りするための音声／データ変換部と、ＬＡＮ通話を行うか又は通常通話を行うかを指定するＬＡＮ／通常通話指定部と、通話相手を指定するための通話相手指定部と、定期的にパケットをパソコンに対して出力し、パケットに対する応答が返ればＬＡＮ通話が可能だと判定し、パケットに対する応答が返らない場合にはＬＡＮ通話が不可能であると判定するＬＡＮ通話可能／不可能判定部と、全体を制御する制御部とを有し、制御部は、ＬＡＮ／通常通話指定部がＬＡＮ通話を指定したと判定した場合にはＬＡＮ通話可能／不可能判定部の判定に基づいてＬＡＮ通話可能またはＬＡＮ通話不可能であることを示す音を音声入出力部に出力し、ＬＡＮ通話可能な場合には相手先を指定し、指定された相手先をＰＣインタフェース部を介してパソコンに通知し、相手先と通話が確立したら、音声入出力部により入出力される音声を音声／データ変換部でデータ変換するように指示し、ＬＡＮ通話不可能な場合には通話相手指定部に通常通話の相手先を指定させ、回線インタフェース部に通常通話の相手先の電話番号を出力することにより、パソコンが起動されていることによりＬＡＮ通話が可能な場合にはパソコンを通してのＬＡＮ通話を行い、パソコンが起動されていないことによりＬＡＮ通話が不可能な場合にはＬＡＮ通話を断念するか又は通常通話に移行することができるので、パソコンが起動されている場合には電話機はＬＡＮ電話機として機能することが可能であり、またパソコンが起動されていない場合には通常の電話機として機能することが可能であるという有利な効果が得られる。
【図面の簡単な説明】
【図１】本発明の実施の形態１による電話機・コンピュータ連動装置を示すブロック図
【図２】図１の電話機・コンピュータ連動装置の動作を示すフローチャート
【図３】ＰＣ上にＬＡＮ電話アプリケーションが起動されているときの画面の表示内容を示す画面表示図
【符号の説明】
１  電話機
２  パソコン（ＰＣ）
３  ネットワーク
１１  回線インタフェース部
１２  音声入出力部
１３  ＰＣインタフェース部
１４  音声／データ変換部
１５  ＬＡＮ／通常通話指定部
１６  通話相手指定部
１７  ＬＡＮ通話可能／不可能判定部
１８  制御部
【図１】
0004250847.tif 000002
【図２】
0004250847.tif 000003
【図３】
0004250847.tif 000004